(57)【特許請求の範囲】
【請求項１】
光線を発光する発光手段と、
該手段によって発光された光線に基づいて光量の多いメインビームスポットと光量の少ないサブビームスポットとを記録媒体に照射するビームスポット照射手段と、
該手段によって照射したメインビームスポットの反射光を受光し、該受光した反射光の総和であるメイン総和信号を出力するメイン総和信号出力手段と、
前記ビームスポット照射手段によって照射したサブビームスポットの反射光を受光し、該受光した反射光の総和であるサブ総和信号と前記メイン総和信号との総和であるメインサブ総和信号を出力するメインサブ総和信号出力手段と、
前記発光手段によって発光された光線の光量を検出する光量検出手段と、
該手段によって検出された光量に基づいて前記メイン総和信号を正規化するメイン総和信号正規化手段と、
前記光量検出手段によって検出された光量に基づいて前記メインサブ総和信号を正規化するメインサブ総和信号正規化手段とを備えたことを特徴とする反射光量検出装置。
【請求項２】
請求項１記載の反射光量検出装置において、
前記発光手段によって発光された光線の光量を検出する光量検出手段と、
前記メイン総和信号と前記メインサブ総和信号のいずれか一方を選択するメイン総和信号・メインサブ総和信号選択手段と、
前記光量検出手段によって検出された光量に基づいて前記メイン総和信号・メインサブ総和信号選択手段によって選択されたメイン総和信号又はメインサブ総和信号を正規化するメイン総和信号・メインサブ総和信号正規化手段とを設けたことを特徴とする反射光量検出装置。
【請求項３】
請求項１又は２記載の反射光量検出装置において、
前記記録媒体の反射率に基づいて前記正規化前のメイン総和信号又はメインサブ総和信号の電圧利得を複数段階に変化させる正規化前メイン総和信号・メインサブ総和信号電圧利得変化手段を設けたことを特徴とする反射光量検出装置。
【請求項４】
請求項１乃至３のいずれか一項に記載の反射光量検出装置において、
前記光量検出手段によって検出された光量の電圧利得を複数段階に変化させる光量電圧利得変化手段を設けたことを特徴とする反射光量検出装置。
【請求項５】
請求項１乃至４のいずれか一項に記載の反射光量検出装置において、
前記正規化後のメイン総和信号又はメインサブ総和信号の電圧利得を複数段階に変化させる正規化後メイン総和信号・メインサブ総和信号電圧利得変化手段を設けたことを特徴とする反射光量検出装置。
【請求項６】
請求項１乃至５のいずれか一項に記載の反射光量検出装置において、
前記正規化前のメイン総和信号とメインサブ総和信号の電気的オフセット、又は前記光量検出手段によって検出された光量の電気的オフセットを除去するオフセット除去手段を設けたことを特徴とする反射光量検出装置。
【請求項７】
請求項６記載の反射光量検出装置において、
前記記録媒体に対する再生状態，記録状態，消去状態，又は前記記録媒体の種類に応じて前記オフセット除去手段によるオフセット除去量を変化させるオフセット除去量変化手段を設けたことを特徴とする反射光量検出装置。
【発明の詳細な説明】
【０００１】
【発明の属する技術分野】
この発明は、半導体レーザからの光束を記録媒体上に集光して情報の記録，再生，又は消去を行なう光ディスク装置の反射光量正規化回路等の反射光量検出装置に関する
【０００２】
【従来の技術】
複数の種類の光ディスクに情報の記録，再生，又は消去を行なう光ディスク装置では、情報の記録，再生，又は消去を行なう光ディスクを正確に判別することが必要になる。
上記光ディスクには、ＣＤ−ＲＯＭ，ＣＤ−Ｒ等の反射率の高いディスクや、反射率の低いＣＤ−ＲＷなどがある。
【０００３】
従来、上記のような光ディスクの反射率を正確に判別する手段として、半導体レーザ光源（以下「ＬＤ」と記す）からの１つのビームスポットが光ディスクに照射された時の反射光を受光素子で光電変換し、その総和信号をＬＤのビーム光量を表す信号で正規化する反射光量検出装置（例えば、特開平７−２６２５６０号公報参照）があった。
【０００４】
また、オンフォーカス時の受光量を表す信号に基づいて光ディスクを判別する反射光量検出装置（例えば、特開平１１−２５５７９号公報参照）があった。
【０００５】
【発明が解決しようとする課題】
しかしながら、上述のような反射光量検出装置では、ＬＤから１つのメインビームスポットと２つのサブビームスポットからなる３つのビームスポットを光ディスクに照射するようにした場合、メインビームスポットとサブビームスポットを含めた全ての反射光の総和信号（「メインサブ総和信号」と称する）で反射光量を検出するので以下に示すような問題があった。
【０００６】
まず、上記のように３つのビームスポットを照射する方式には、３ビーム法とＤＰＰ法が知られている。
【０００７】
３ビーム法とは、主に情報を再生するＣＤ−ＲＯＭドライブ等の光ディスク装置に利用されており、情報が記録されている（またはこれから記録される）トラックとトラックの中心から１／４トラック分だけずれたところにサブビームスポットを集光する方式である。
【０００８】
一方、ＤＰＰ法とは、主に情報を記録，消去，又は再生するＣＤ−Ｒドライブ，ＣＤ−ＲＷドライブ等の光ディスク装置に利用されており、トラックとトラックの中心にサブビームスポットを集光する方式である。
【０００９】
上記のような３ビーム法，又はＤＰＰ法を用いたときの光ピックアップのＬＤのメインビームとサブビームの光量は、メインビームの方が大きく、その光量比には数倍から２０倍の開きがある。
従って、この各ビームによる光ディスクからの反射光量に応じた信号を検出するには、サブビームを検出する手段の信号ゲインを高くする必要がある。
【００１０】
ここで、光ディスクの判別のために、光ディスクからの反射光量等を測定するが、フォーカス制御をかけない状態で、対物レンズを大きく上下（ＵＰ／ＤＯＷＮ）させて反射光量検出信号等のピークを求める。
これは、光ディスクの判別の前には適正なパワー等が設定できないので、正常なサーボ制御が期待できないからである。
【００１１】
このとき、大きくオフフォーカスした状態でサブビームを受光する受光素子にメインビームが入射してしまい、メインビームの光量は大きく且つサブビームの検出用ゲインが高いので、反射光量検出信号がオンフォーカス時よりも大きくなってしまって正確な反射光量検出信号の測定ができなくなるという問題があった。
【００１２】
一方、メインビームスポットの反射光のみの総和信号（「メイン総和信号」と称する）では、上述したような現象は生じないが、光ディスクの判別とは別に、反射光量の急激な変化を検出して欠陥を検出するときなどに上記のような反射光量検出信号を用いた場合、オンフォーカス時のオフトラック時においてトラックを横切る時の影響が反射光量検出信号のレベル変化として現れてしまうので、反射光量検出信号は一定レベルの出力にはならず、安定した反射光量検出信号が得られないという問題があった。
【００１３】
この発明は上記の課題を解決するためになされたものであり、記録媒体に対して光量が異なる複数のビームスポットを照射したときに、正確且つ安定した反射光量が得られるようにすることを目的とする。
【００１４】
【課題を解決するための手段】
この発明は上記の目的を達成するため、光線を発光する発光手段と、その手段によって発光された光線に基づいて光量の多いメインビームスポットと光量の少ないサブビームスポットとを記録媒体に照射するビームスポット照射手段と、その手段によって照射したメインビームスポットの反射光を受光し、その受光した反射光の総和であるメイン総和信号を出力するメイン総和信号出力手段と、上記ビームスポット照射手段によって照射したサブビームスポットの反射光を受光し、その受光した反射光の総和であるサブ総和信号と上記メイン総和信号との総和であるメインサブ総和信号を出力するメインサブ総和信号出力手段と、上記発光手段によって発光された光線の光量を検出する光量検出手段と、その手段によって検出された光量に基づいて上記メイン総和信号を正規化するメイン総和信号正規化手段と、上記光量検出手段によって検出された光量に基づいて上記メインサブ総和信号を正規化するメインサブ総和信号正規化手段をそなえたものである。
【００１５】
【００１６】
さらに、上記のような反射光量検出装置において、上記発光手段によって発光された光線の光量を検出する光量検出手段と、上記メイン総和信号と上記メインサブ総和信号のいずれか一方を選択するメイン総和信号・メインサブ総和信号選択手段と、上記光量検出手段によって検出された光量に基づいて上記メイン総和信号・メインサブ総和信号選択手段によって選択されたメイン総和信号又はメインサブ総和信号を正規化するメイン総和信号・メインサブ総和信号正規化手段を設けるとよい。
【００１７】
また、上記のような反射光量検出装置において、上記記録媒体の反射率に基づいて上記正規化前のメイン総和信号又はメインサブ総和信号の電圧利得を複数段階に変化させる正規化前メイン総和信号・メインサブ総和信号電圧利得変化手段を設けるとよい。
【００１８】
さらに、上記のような反射光量検出装置において、上記光量検出手段によって検出された光量の電圧利得を複数段階に変化させる光量電圧利得変化手段を設けるとよい。
【００１９】
また、上記のような反射光量検出装置において、上記正規化後のメイン総和信号又はメインサブ総和信号の電圧利得を複数段階に変化させる正規化後メイン総和信号・メインサブ総和信号電圧利得変化手段を設けるとよい。
【００２０】
さらに、上記のような反射光量検出装置において、上記正規化前のメイン総和信号とメインサブ総和信号の電気的オフセット、又は上記光量検出手段によって検出された光量の電気的オフセットを除去するオフセット除去手段を設けるとよい。
【００２１】
さらにまた、上記のような反射光量検出装置において、上記記録媒体に対する再生状態，記録状態，消去状態，又は前記記録媒体の種類に応じて上記オフセット除去手段によるオフセット除去量を変化させるオフセット除去量変化手段を設けるとよい。
【００２２】
【発明の実施の形態】
以下、この発明の実施形態を図面に基づいて具体的に説明する。
図１は、この発明の請求項１に記載の反射光量検出装置の一実施形態である反射光量正規化回路の構成を示すブロック図である。
【００２３】
この反射光量正規化回路は、情報の記録，再生，及び消去を行なう光ディスク装置に搭載するものであり、ピックアップ部（Ｐｉｃｋ  Ｕｐ  Ｍｏｄｕｌｅ：ＰＵＭ）１は、半導体レーザ光源（ＬＤ），及び対物レンズ等からなる発光部を有する。
【００２４】
この発光部は、光ディスク（記録媒体）の表面にレーザ光線を発光してその線束を集光するものとして、ＤＰＰ法に基づいて１つのメインビームスポット（光量の多いビームスポット）と２つのサブビームスポット（光量の少ないビームスポット）を照射する。
【００２５】
また、ＰＵＭ１は、上記メインビームスポットとサブビームスポットに基づく光ディスクからの各反射光を受光して光電変換する受光素子からなる受光部を有する。
【００２６】
この受光部は、メインビームスポットの反射光を受光して光電変換し、それをメインビーム信号Ｓ１として加算回路４へ出力する。また、サブビームスポットの反射光を受光して光電変換し、それをサブビーム信号Ｓ２として加算回路５へ出力する。
さらに、ＰＵＭ１は、半導体レーザ光源の光量を示すビーム光量信号Ｓ６を加算回路７へ出力する受光素子も備えている。
【００２７】
ＬＤ制御回路２は、ＣＰＵ３からのＬＤ制御信号Ｓ７とＰＵＭ１から出力されたビーム光量信号Ｓ６とに基づいてＰＵＭ１によるレーザ光線の発光量を制御する。
【００２８】
ＣＰＵ３は、マイクロコンピュータであり、この反射光量正規化回路全体の制御を司ると共に、後述する反射光量検出信号に基づいてＬＤ制御回路２へＬＤ制御信号Ｓ７を出力する。
【００２９】
加算回路４は、ＰＵＭ１から出力されたメインビーム信号Ｓ１を加算した総和のメイン総和信号Ｓ３を求め、そのメイン総和信号Ｓ３を反射光量検出信号としてＣＰＵ３へ出力すると共に、加算回路６へ出力する。
【００３０】
加算回路５は、ＰＵＭ１から出力されたサブビーム信号Ｓ２を加算した総和のサブビーム総和信号Ｓ４を求め、そのサブ総和信号Ｓ４を加算回路６へ出力する。
【００３１】
加算回路６は、加算回路４から入力したメイン総和信号Ｓ３と加算回路５から入力したサブ総和信号Ｓ４を加算した総和のメインサブ総和信号Ｓ５を求め、そのメインサブ総和信号Ｓ５を反射光量検出信号としてＣＰＵ３へ出力する。
【００３２】
加算回路７は、ＰＵＭ１から出力されたビーム光量信号Ｓ６を加算してＬＤ制御回路２へ出力する。
【００３３】
この反射光量正規化回路は、ＰＵＭ１が、ＣＰＵ３からのＬＤ制御信号Ｓ７によってビーム光量を表すビーム光量信号Ｓ６に基づいてＬＤ制御回路２を通じて所定のＬＤパワーでレーザ光線を発光して光ディスク面にメインビームスポットとサブビームスポットを照射する。
【００３４】
光ディスクに集光したメインビームスポットとサブビームスポットはそれぞれ反射し、ＰＵＭ１のメインビーム用の受光素子と、サブビーム用の各受光素子がそれぞれ受光し、それを光電変換してそれぞれメインビーム信号Ｓ１とサブビーム信号Ｓ２として出力する。
【００３５】
さらに、加算回路４がメインビーム信号Ｓ１の総和のメイン総和信号Ｓ３を求めて、それを反射光量検出信号としてＣＰＵ３へ出力すると共に、加算回路６へ出力する。加算回路６は、メイン総和信号Ｓ３とサブ総和信号Ｓ４の総和のメインサブ総和信号Ｓ５を求めて、それを反射光量検出信号としてＣＰＵ３へ出力する。
そして、ＣＰＵ３はその各反射光量検出信号に基づいてＬＤ制御信号Ｓ７を生成してＬＤ制御回路２へ出力する。
【００３６】
すなわち、上記ＰＵＭ１が、光線を発光する発光手段と、その手段によって発光された光線に基づいて光量の多いメインビームスポットと光量の少ないサブビームスポットとを記録媒体に照射するビームスポット照射手段の機能を果たす。
【００３７】
また、上記ＰＵＭ１と加算回路４が、上記ビームスポット照射手段によって照射したメインビームスポットの反射光を受光し、その受光した反射光の総和であるメイン総和信号を出力するメイン総和信号出力手段の機能を果たす。
【００３８】
さらに、上記ＰＵＭ１と加算回路５と６が、上記ビームスポット照射手段によって照射したサブビームスポットの反射光を受光し、その受光した反射光の総和であるサブ総和信号と上記メイン総和信号との総和であるメインサブ総和信号を出力するメインサブ総和信号出力手段の機能を果たす。
【００３９】
この反射光量正規化回路は、例えば、オフフォーカス時とオンフォーカス時における反射光量検出信号の絶対値を測定する時、メインサブ総和信号Ｓ５の反射光量検出信号は、オフフォーカスした状態においてサブ信号にメイン信号成分が入り込んでオンフォーカス時よりもその絶対値が大きくなってしまう不具合がある。
【００４０】
そこで、ＣＰＵ３は、メイン総和信号Ｓ３の反射光量検出信号を測定に使用する。したがって、オフフォーカス時に正確な反射光量の測定ができる。
【００４１】
一方、メイン総和信号Ｓ３の反射光量検出信号は、オンフォーカス時にオフトラックしている場合、トラックを横切る時の影響が反射光量検出信号のレベル変化として現れてしまうので、安定した反射光量検出信号を得ることができない。
【００４２】
そこで、ＣＰＵ３は、メインサブ総和信号Ｓ５の反射光量検出信号を使用する。したがって、オンフォーカス時にオフトラックしている場合も正確な反射光量の測定ができる。
【００４３】
このようにして、反射光量を検出する信号をメイン総和信号とメインサブ総和信号、またはサブ総和信号のうち２系統をもつので、状況に応じた信号を用いることによって常に安定した反射光量検出信号を得ることができる。
【００４４】
図２は、この発明の請求項２に記載の反射光量検出装置の一実施形態である反射光量正規化回路の構成を示すブロック図であり、図１と共通する部分には同一符号を付してその説明を省略する。
【００４５】
上記図１に示した反射光量正規化回路は、ＬＤの発光量が変化すれば、反射率が一定でも反射光量検出信号の出力に変化が生ずる。そこで、図２に示す反射光量正規化回路では、ＬＤの発光量の変化によらず、反射率の変化によってのみ出力レベルが変化し、安定した反射光量が得られるようにしている。
【００４６】
図２に示すように、この反射光量正規化回路では、加算回路７から出力されたビーム光量信号Ｓ６と加算回路４から出力されたメイン総和信号Ｓ３を入力し、そのビーム光量信号Ｓ６に基づいてメイン総和信号Ｓ３を正規化して反射光量検出信号としてＣＰＵ３へ出力するメイン信号正規化回路１０を新たに設けている。
【００４７】
また、加算回路７から出力されたビーム光量信号Ｓ６と加算回路６から出力されたメインサブ総和信号Ｓ５を入力し、そのビーム光量信号Ｓ６に基づいてメインサブ総和信号Ｓ５を正規化して反射光量検出信号としてＣＰＵ３へ出力するメインサブ信号正規化回路１１も設けている。
【００４８】
すなわち、上記ＰＵＭ１が、上記発光手段によって発光された光線の光量を検出する光量検出手段の機能を果たす。
【００４９】
また、上記加算回路７とメイン信号正規化回路１０が、上記光量検出手段によって検出された光量に基づいて上記メイン総和信号を正規化するメイン総和信号正規化手段の機能を果たす。
【００５０】
さらに、上記加算回路７とメインサブ信号正規化回路１１が、上記光量検出手段によって検出された光量に基づいて上記メインサブ総和信号を正規化するメインサブ総和信号正規化手段の機能を果たす。
【００５１】
この反射光量正規化回路は、メイン信号正規化回路１０及びメインサブ信号正規化回路１１によってＣＰＵ３へ出力する反射光量検出信号のレベルを半導体レーザ光源の発光量の変化にはよらず、反射率の違いによってのみ変動させるので、さらに正確な反射光量の測定が可能になる。
【００５２】
このようにして、ＬＤの発光量の変化によらず反射率の変化によってのみ出力が変化する安定した反射光量検出信号を得ることができる。
【００５３】
図３は、この発明の請求項３に記載の反射光量検出装置の一実施形態である反射光量正規化回路の構成を示すブロック図であり、図１及び図２と共通する部分には同一符号を付してその説明を省略する。
【００５４】
上記図２に示した反射光量正規化回路では、メイン信号正規化回路１０とメインサブ信号正規化回路１１の２個の正規化回路が必要であるが、一般的に正規化回路は高価でコストがかかる。
【００５５】
そこで、図３に示す反射光量正規化回路では、１個の正規化回路を用いて上記図２に示した反射光量正規化回路と同様の機能を得ることができ、なお且つ上記反射光量正規化回路よりも容易で安価な構成にしている。
【００５６】
図３に示すように、この反射光量正規化回路では、図２に示した反射光量正規化回路のメイン信号正規化回路１０とメインサブ信号正規化回路１１に代えて正規化回路ブロック２０を設けている。
【００５７】
この正規化回路ブロック２０は、アナログスイッチ２１と正規化回路２２とからなり、アナログスイッチ２１はＣＰＵ３から出力される被正規化信号選択信号Ｓ８に基づいて正規化回路２２に対する加算回路４から入力したメイン総和信号Ｓ３と加算回路６から入力したメインサブ総和信号Ｓ５の出力を切り替える。
【００５８】
正規化回路２２は、アナログスイッチ２１を介して出力されたメイン総和信号Ｓ３あるいはメインサブ総和信号Ｓ５を正規化してＣＰＵ３へ出力する。
【００５９】
すなわち、上記ＰＵＭ１と加算回路７が、上記発光手段によって発光された光線の光量を検出する光量検出手段の機能を果たす。
また、上記ＣＰＵ３とアナログスイッチ２１が、上記メイン総和信号と上記メインサブ総和信号のいずれか一方を選択するメイン総和信号・メインサブ総和信号選択手段の機能を果たす。
【００６０】
さらに、上記加算回路７と正規化回路２２が、上記光量検出手段によって検出された光量に基づいて上記メイン総和信号・メインサブ総和信号選択手段によって選択されたメイン総和信号又はメインサブ総和信号を正規化するメイン総和信号・メインサブ総和信号正規化手段の機能を果たす。
【００６１】
この反射光量正規化回路は、オンフォーカス時とオフフォーカス時の反射光量の絶対値を測定する時、ＣＰＵ３はアナログスイッチ２１へメイン総和信号Ｓ３に切り替える被正規化信号選択信号Ｓ８を出力して、アナログスイッチ２１はメイン総和信号Ｓ３側に接続を切り替え、正規化回路２２へメイン総和信号Ｓ３を出力する。そして、正規化回路２２はメイン総和信号Ｓ３を正規化して反射光量検出信号としてＣＰＵ３へ出力する。
【００６２】
また、オンフォーカス時のオフトラック時には、ＣＰＵ３はアナログスイッチ２１へメインサブ総和信号Ｓ５に切り替える被正規化信号選択信号Ｓ８を出力して、アナログスイッチ２１はメインサブ総和信号Ｓ５側に接続を切り替え、正規化回路２２へメインサブ総和信号Ｓ５を出力する。そして、正規化回路２２はメインサブ総和信号Ｓ５を正規化して反射光量検出信号としてＣＰＵ３へ出力する。
【００６３】
このようにして、高価な正規化回路を少なく構成することができ、且つ反射光量を測定すべき信号を少なくすることができるので、安定した反射光量を容易かつ低コストで得ることができる。
【００６４】
図４は、この発明の請求項４に記載の反射光量検出装置の一実施形態である反射光量正規化回路の正規化回路ブロックの構成を示すブロック図であり、図１乃至図３と共通する部分には同一符号を付してその説明を省略する。
【００６５】
まず、一般に反射率の異なる光ディスクから情報を再生しようとするときの光ディスクからの反射光を表すメイン総和信号やメインサブ総和信号は、光ディスクの反射率の違いから、その絶対値が大きく異なる。
【００６６】
そのため、正規化回路でメイン総和信号やメインサブ総和信号を正規化して出力した反射光量検出信号自体も絶対値が大きく異なり、反射率が小さく信号レベルが小さい時は、正規化回路のオフセットの影響を受けやすくなってしまう。また、オフセットの少ない正規化回路は、高価である。
【００６７】
上記図３に示した反射光量正規化回路では、種類の異なる光ディスクから情報を再生しようとする場合、正規化回路２２で正規化される信号である光ディスクからの反射光量を表すメイン総和信号Ｓ３とメインサブ総和信号Ｓ５の大きさは、光ディスクの反射率の違いに比例して大きく異なる。
【００６８】
そのため、光ディスクの種類に基づく反射率の判別後、低反射率の光ディスクの時には信号が小さくなるので、正規化回路２２は電気的オフセットの影響を浮け易くなる。
【００６９】
また、一般的に正規化回路はオフセットを生じ易いうえに、低オフセットのものは高価であって高コストになるという問題がある。
そこで、図４に示した正規化回路ブロックでは、正規化の際のオフセットの影響を低減するようにしている。
【００７０】
図４に示すように、この正規化回路ブロックには、アナログスイッチ２１によって選択して正規化回路２２へ出力されるメイン総和信号Ｓ３とメインサブ総和信号Ｓ５の信号レベルを、ＣＰＵ３からの可変ゲイン制御信号Ｓ９に基づいて少なくとも２段階の複数段階に切り替える可変ゲインアンプ３０を新たに設けている。
【００７１】
すなわち、上記ＣＰＵ３と可変ゲインアンプ３０が、上記記録媒体の反射率に基づいて上記正規化前のメイン総和信号又はメインサブ総和信号の電圧利得を複数段階に変化させる正規化前メイン総和信号・メインサブ総和信号電圧利得変化手段の機能を果たす。
【００７２】
この正規化回路ブロックを設けた反射光量正規化回路は、例えば、光ディスクの情報を再生しようとするとき、ＣＰＵ３がその光ディスクの反射率の判別後に、その反射率の違いに応じた可変ゲイン制御信号Ｓ９を可変ゲインアンプ３０へ送り、可変ゲインアンプ３０はその可変ゲイン制御信号Ｓ９に基づいてアナログスイッチ２１から入力したメイン総和信号Ｓ３またはメインサブ総和信号Ｓ５の電圧利得を変化させて一定レベルにして正規化回路２２へ出力する。
【００７３】
したがって、正規化回路２２は常に一定レベルのメイン総和信号Ｓ３またはメインサブ総和信号Ｓ５を正規化するので、正規化回路２２における反射光量検出信号に対するオフセットの影響を少なくすることができ、なお且つ安価な構成にすることができる。
【００７４】
このようにして、情報を再生しようとする光ディスクの反射率に応じて正規化るメイン総和信号とメインサブ総和信号を信号レベルの大きさを調整するので、情報を再生しようとする光ディスクの反射率によらず、ほぼ一定の電圧が正規化回路に入力されることになり、反射光量検出信号のオフセット影響を少なくすることができ、かつ反射光量正規化回路を安価で構成することができる。
【００７５】
図５は、この発明の請求項５に記載の反射光量検出装置の一実施形態である反射光量正規化回路の正規化回路ブロックの構成を示すブロック図であり、図１乃至図４と共通する部分には同一符号を付してその説明を省略する。
【００７６】
通常、光ディスクから情報を再生しようとする場合と、光ディスクに情報を記録または消去しようとする場合とでは、必要となるＬＤ発光パワーが大きく異なるので、当然、ビーム光量信号の絶対レベルも大きく異なることがある。
【００７７】
そのため、正規化回路は電圧入力範囲が広くて電圧利得範囲も大きいものを設ける必要があるが、そのような正規化回路を設けると高コストになる。
【００７８】
つまり、光ディスクから情報を再生する場合と情報を記録または消去する場合では、正規化回路へ出力するビーム光量信号の大きさが異なるので、上記図４に示した正規化回路ブロックでは、正規化回路にビーム光量信号の電圧入力範囲及び電圧利得に大きなレベルを持った高品質なものが必要になる。
【００７９】
そこで、図５に示す正規化回路ブロックでは、正規化回路へ入力するビーム光量信号の電圧利得を調整することにより、電圧入力範囲及び電圧利得の小さな安価な正規化回路を用いても正規化できるようにしている。
【００８０】
図５に示すように、この正規化回路ブロックには、ＣＰＵ３からの可変ゲイン制御信号に基づいてビーム光量信号Ｓ６の信号レベルを少なくとも２段階の複数段階に切り替える可変ゲインアンプ３１を新たに設けている。
【００８１】
すなわち、上記ＣＰＵ３と可変ゲインアンプ３１が、上記光量検出手段によって検出された光量の電圧利得を複数段階に変化させる光量電圧利得変化手段の機能を果たす。
【００８２】
この正規化回路ブロックを設けた反射光量正規化回路は、ＣＰＵ３が光ディスクに情報を再生しようとしている状態か、光ディスクに情報を記録もしくは消去しようとしている状態に応じた調整レベルを示す可変ゲイン制御信号Ｓ１０を可変ゲインアンプ３１へ送る。
可変ゲインアンプ３１は、ビーム光量信号を可変ゲイン制御信号Ｓ１０の調整レベルに調整して正規化回路２２へ出力する。
【００８３】
したがって、情報の再生，記録，あるいは消去の状態でも常に一定レベルのビーム光量信号を正規化回路２２へ入力することができるので、正規化回路２２を実現する割り算器の電圧入力範囲と電圧利得範囲を少なくすることができる。
【００８４】
このようにして、光ディスクから情報を再生しようとしている時か、情報を記録、消去しようとしている状態かによって変化するビーム光量信号の出力レベルを常に一定にして正規化回路へ入力するようにしたので、正規化回路の電圧利得、電圧入力範囲を小さくすることができ、安価な正規化回路でも正規化を行なえる。
【００８５】
図６は、この発明の請求項６に記載の反射光量検出装置の一実施形態である反射光量正規化回路の正規化回路ブロックの構成を示すブロック図であり、図１乃至図５と共通する部分には同一符号を付してその説明を省略する。
【００８６】
反射光量正規化回路から出力される信号レベルは、発光素子，受光素子を含む光学系素子のＰＵＭが異なれば、たとえ同じ光ディスクの情報を再生もしくは記録、消去を行なう状態でも、光ディスクからの反射光を表す総和信号やビーム光量を表す信号が受光素子の受光感度のばらつきなどによって異なることがある。
【００８７】
一方で正確な反射光量測定を行なうためには、同じ光ディスクの情報を再生もしくは記録，消去を行なう場合には、上記光学系素子の感度等のばらつきを抑えて一定の反射光量検出信号レベルを出力する必要がある。
【００８８】
つまり、上記図５に示した正規化回路ブロックでは、受光素子を含むＰＵＭ１が異なれば、たとえ同じ光ディスクの情報を再生もしくは、記録、消去を行なう状態だとしても、光ディスクからの反射光を表すメイン総和信号，サブメイン総和信号，ビーム光量信号の信号レベルが受光素子の受光感度のばらつきなどによって異なることがある。
【００８９】
そこで、図６に示した正規化回路ブロックでは、受光素子の受光感度のばらつきによるメイン総和信号，サブメイン総和信号，ビーム光量信号の信号レベルのばらつきを抑制し、反射光量検出信号に基づいて正確な反射光量を測定できるようにしている。
【００９０】
図６に示すように、この正規化回路ブロックには、正規化回路２２によって正規化されたメイン総和信号Ｓ３とメインサブ総和信号Ｓ５の信号レベルを、ＣＰＵ３からの可変ゲイン制御信号Ｓ１１に基づいて少なくとも２段階の複数段階に切り替えてＣＰＵ３へ出力する可変ゲインアンプ３２を新たに設けている。
【００９１】
すなわち、上記ＣＰＵ３と可変ゲインアンプ３２が、上記正規化後のメイン総和信号又はメインサブ総和信号の電圧利得を複数段階に変化させる正規化後メイン総和信号・メインサブ総和信号電圧利得変化手段の機能を果たす。
【００９２】
この正規化回路ブロックを設けた反射光量正規化回路は、ＣＰＵ３がＰＵＭ１内の受光素子を含む光学系素子の感度等のばらつきに応じた調整レベルを示す可変ゲイン制御信号Ｓ１１を可変ゲインアンプ３２へ出力する。
可変ゲインアンプ３２は、正規化回路２２から出力された正規化後のメイン総和信号Ｓ３またはメインサブ総和信号Ｓ５を可変ゲイン制御信号Ｓ１１の調整レベルに調整してＣＰＵ３へ出力する。
【００９３】
したがって、ＣＰＵ３に入力される反射光量検出信号が常に一定のレベルに制御されるので、受光素子等の感度のばらつきなどによる個別のばらつきを抑え、反射光量測定が正確で安定した反射光量検出信号を得ることができる。
【００９４】
このようにして、反射光量検出信号の信号レベルをＣＰＵへ入力する前に一定のレベルに可変することができるので、ＣＰＵへ受光素子の感度のばらつきなどによる個別のばらつきを抑制した安定した反射光量検出信号を供給することができる。
【００９５】
図７は、この発明の請求項７に記載の反射光量検出装置の一実施形態である反射光量正規化回路の正規化回路ブロックの構成を示すブロック図であり、図１乃至図６と共通する部分には同一符号を付してその説明を省略する。
【００９６】
ビーム光量信号や光ディスクからの反射光のメイン総和信号，メインサブ総和信号などを電気的信号で処理しようとする場合、光電効果によって光を電気信号に変換する素子や、その信号を所定の信号に変換する信号処理系において電気的オフセットが発生することがある。
【００９７】
このような場合、正規化回路では電気的オフセットを含めて演算してしまい正確な反射光量検出信号を得ることができなくなる。
【００９８】
つまり、上記図６に示した正規化回路ブロックでは、ビーム光量信号やメイン総和信号，メインサブ総和信号に電気的な電圧オフセットが印加され、正確な反射光量検出信号が得られないことがある。
【００９９】
そこで、図７に示した正規化回路ブロックでは、電気的オフセットを除去する手段を設けることにより、ビーム光量信号やメイン総和信号，メインサブ総和信号にオフセット生じても正確な反射光量検出信号が得られるようにしている。
【０１００】
図７に示すように、この正規化回路ブロックには、ビーム光量信号Ｓ６の電気的オフセットを除去して可変ゲインアンプ３１へ出力するビーム光量オフセット調整用デジタル・アナログコンバータ（Ｄｉｇｉｔａｌ  Ａｎａｌｏｇ  Ｃｏｎｖｅｒｔｅｒ：ＤＡＣ）４０を新たに設けている。
【０１０１】
さらに、アナログスイッチ２１から出力されたメイン総和信号Ｓ３とメインサブ総和信号Ｓ５の電気的オフセットを除去して可変ゲインアンプ３０へ出力する総和信号オフセット調整用デジタル・アナログコンバータ（ＤＡＣ）４１も新たに設けている。
【０１０２】
上記ＤＡＣは、ＣＰＵ３からのデジタル信号による設定に基づいて電気的オフセットを除去するアナログ信号を発生する素子と、そのアナログ信号をビーム光量信号，メイン総和信号，サブメイン総和信号に印可する電気回路とからなる。
【０１０３】
すなわち、上記ビーム光量オフセット調整用ＤＡＣ４０と総和信号オフセット用ＤＡＣ４１が、上記正規化前のメイン総和信号とメインサブ総和信号の電気的オフセット、又は上記光量検出手段によって検出された光量の電気的オフセットを除去するオフセット除去手段の機能を果たす。
【０１０４】
この正規化回路ブロックを設けた反射光量正規化回路は、ビーム光量オフセット用ＤＡＣ４０がビーム光量信号の電気的オフセットを除去する方向の電気信号を発生し、その電気信号をビーム光量信号に印加してオフセットを除去し、総和信号オフセット用ＤＡＣ４１がメイン総和信号，メインサブ総和信号の電気的オフセットを除去する方向の電気信号を発生し、その電気信号をメイン総和信号，メインサブ総和信号に印加してオフセットを除去する。
【０１０５】
したがって、正規化回路２２の前段においてメイン総和信号Ｓ３，メインサブ総和信号Ｓ５，及びビーム光量信号Ｓ６の電気的オフセットを除去することにより、正規化回路２２には純粋に信号成分のみが入力されるので、正確な反射光量を測定することができる。
【０１０６】
なお、図７ではビーム光量オフセット調整用ＤＡＣ４０と総和信号オフセット用ＤＡＣ４１の両方を設けたが、いずれか一方を設けるようにしても良い。
【０１０７】
このようにして、反射光量検出信号を構成するビーム光量信号や、メイン総和信号，サブメイン総和信号に発生した電気的オフセットを除去することができるので、正確な反射光量を測定できる反射光量正規化回路を提供することができる。
【０１０８】
図８は、この発明の請求項８に記載の反射光量検出装置の一実施形態である反射光量正規化回路の正規化回路ブロックの構成を示すブロック図であり、図１乃至図７と共通する部分には同一符号を付してその説明を省略する。
【０１０９】
光ディスクの種類や、光ディスクから情報を再生しようとしている状態、または光ディスクに情報を記録もしくは消去しようとしている状態に応じて電気的回路の信号レベルや利得などは異なり、電気的オフセット量も異なることがある。
このような場合、ただ１種類のオフセット調整値だけでは十分にオフセット除去できず、正確な反射光量検出信号を得ることができない恐れがある。
【０１１０】
つまり、上記図７に示した正規化回路ブロックでは、ビーム光量オフセット調整用ＤＡＣ４０と総和信号オフセット調整用ＤＡＣ４１からそれぞれ１種類のオフセット調整信号のみしか出力できないので、情報の再生を行なうときと、情報の記録もしくは消去を行なうときとで、電気回路の電圧利得が異なったり電気的オフセット量が異なったりした場合、正確に電気的オフセットを除去できないことがある。
【０１１１】
そこで、図８に示した正規化回路ブロックでは、情報の再生を行なう場合と、情報の記録もしくは消去を行なう場合との状態に依らず、常に正確に電気的オフセットを除去できるようにしている。
【０１１２】
図８に示すように、この正規化回路ブロックには、ビーム光量信号Ｓ６の電気的オフセットを除去するそれぞれ異なるオフセット調整信号を出力する第１ビーム光量オフセット調整ＤＡＣ５１と第２ビーム光量オフセット調整ＤＡＣ５２と、ＣＰＵ３からのオフセット調整ＤＡＣ選択信号Ｓ１２に基づいて第１ビーム光量オフセット調整ＤＡＣ５１あるいは第２ビーム光量オフセット調整ＤＡＣ５２と接続し、その接続したＤＡＣから出力されたオフセット調整信号をビーム光量オフセット調整信号Ｓ１４として出力するアナログスイッチ５０を新たに設けている。
【０１１３】
また、メイン総和信号Ｓ３又はメインサブ総和信号Ｓ５の電気的オフセットを除去するそれぞれ異なるオフセット調整信号を出力する第１総和信号オフセット調整ＤＡＣ６１と第２総和信号オフセット調整ＤＡＣ６２と、ＣＰＵ３からのオフセット調整ＤＡＣ選択信号Ｓ１３に基づいて第１総和信号オフセット調整ＤＡＣ６１あるいは第２総和信号オフセット調整ＤＡＣ６２と接続し、その接続したＤＡＣから出力されたオフセット調整信号を総和信号オフセット調整信号Ｓ１５として出力するアナログスイッチ６０も設けている。
【０１１４】
すなわち、上記ＣＰＵ３，アナログスイッチ５０と６０，第１ビーム光量オフセット調整ＤＡＣ５１，第２ビーム光量オフセット調整ＤＡＣ５２，第１総和信号オフセット調整ＤＡＣ６１，及び第２総和信号オフセット調整ＤＡＣ６２が、上記記録媒体に対する再生状態，記録状態，消去状態，又は上記記録媒体の種類に応じて上記オフセット除去手段によるオフセット除去量を変化させるオフセット除去量変化手段の機能を果たす。
【０１１５】
この正規化回路ブロックを設けた反射光量正規化回路は、予め第１ビーム光量オフセット調整ＤＡＣ５１，第２ビーム光量オフセット調整ＤＡＣ５２，第１総和信号オフセット調整ＤＡＣ６１，及び第２総和信号オフセット調整ＤＡＣ６２に対して、光ディスクの種類や光ディスクから情報を再生しようとしている状態，又は光ディスクに情報を記録もしくは消去しようとしている状態に対応した各オフセット調整信号を出力するように設定しておく。
【０１１６】
そして、ＣＰＵ３は、光ディスクの種類や光ディスクから情報を再生しようとしている状態，又は光ディスクに情報を記録もしくは消去しようとしている状態を判別すると、その判別した状態を示すオフセット調整ＤＡＣ選択信号Ｓ１２とＳ１３をそれぞれアナログスイッチ５０と６０へ送出する。
【０１１７】
アナログスイッチ５０と６０は、ＣＰＵ３から入力したオフセット調整ＤＡＣ選択信号Ｓ１２とＳ１３に基づいて、それぞれが第１ビーム光量オフセット調整ＤＡＣ５１あるいは第２ビーム光量オフセット調整ＤＡＣ５２との接続、第１総和信号オフセット調整ＤＡＣ６１あるいは第２総和信号オフセット調整ＤＡＣ６２との接続に切り替え、その切り替えたＤＡＣから出力されたオフセット調整信号をそれぞれビーム光量オフセット調整信号Ｓ１４と総和信号オフセット調整信号Ｓ１５として出力する。
【０１１８】
したがって、可変ゲインアンプ３０と３１に、光ディスクの種類や光ディスクに対する情報再生，情報記録，情報消去等の状態に係らず正確にオフセットが除去されたメイン総和信号Ｓ３あるいはメインサブ総和信号Ｓ５とビーム光量信号Ｓ６とをそれぞれ入力することができるので、正規化回路２２においてオフセットの影響の無い正規化処理を行なうことができ、正確な反射光量を測定することができる。
【０１１９】
このようにして、情報を再生している状態か情報を記録もしくは消去している
状態かによってビーム光量信号，メイン総和信号，メインサブ総和信号にそれぞれ印加する電気的オフセット量を切り替えることができるので、上記状態によらず正確に電気的オフセットを除去する安定した反射光量正規化回路を提供することができる。
【０１２０】
【発明の効果】
以上説明してきたように、この発明の反射光量検出装置によれば、記録媒体に対して光量が異なる複数のビームスポットを照射したときに、正確且つ安定した反射光量を得ることができる。
【図面の簡単な説明】
【図１】  この発明の請求項１に記載の反射光量検出装置の一実施形態である反射光量正規化回路の構成を示すブロック図である。
【図２】  この発明の請求項２に記載の反射光量検出装置の一実施形態である反射光量正規化回路の構成を示すブロック図である。
【図３】  この発明の請求項３に記載の反射光量検出装置の一実施形態である反射光量正規化回路の構成を示すブロック図である。
【図４】  この発明の請求項４に記載の反射光量検出装置の一実施形態である反射光量正規化回路の正規化回路ブロックの構成を示すブロック図である。
【図５】  この発明の請求項５に記載の反射光量検出装置の一実施形態である反射光量正規化回路の正規化回路ブロックの構成を示すブロック図である。
【図６】  この発明の請求項６に記載の反射光量検出装置の一実施形態である反射光量正規化回路の正規化回路ブロックの構成を示すブロック図である。
【図７】  この発明の請求項７に記載の反射光量検出装置の一実施形態である反射光量正規化回路の正規化回路ブロックの構成を示すブロック図である。
【図８】  この発明の請求項８に記載の反射光量検出装置の一実施形態である反射光量正規化回路の正規化回路ブロックの構成を示すブロック図である。
【符号の説明】
１：ピックアップモジュール
２：ＬＤ制御回路    ３：ＣＰＵ
４〜７：加算回路    １０：メイン信号正規化回路
１１：メインサブ信号正規化回路
２０：正規化回路ブロック
２１，５０，６０：アナログスイッチ
２２：正規化回路    ３０〜３２：可変ゲインアンプ
４０：ビーム光量オフセット調整用ＤＡＣ
４１：総和信号オフセット調整用ＤＡＣ
５１：第１ビーム光量オフセット調整ＤＡＣ
５２：第２ビーム光量オフセット調整ＤＡＣ
６１：第１総和信号オフセット調整ＤＡＣ
６２：第２総和信号オフセット調整ＤＡＣ
Ｓ１：メインビーム信号    Ｓ２：サブビーム信号
Ｓ３：メイン総和信号      Ｓ４：サブ総和信号
Ｓ５：メインサブ総和信号  Ｓ６：ビーム光量信号
Ｓ７：ＬＤ制御信号
Ｓ８：被正規化信号選択信号
Ｓ９〜Ｓ１１：可変ゲイン制御信号
Ｓ１２，Ｓ１３：オフセット調整ＤＡＣ選択信号
Ｓ１４：ビーム光量オフセット調整信号
Ｓ１５：総和信号オフセット調整信号
【図１】
0003986715.tif 000002
【図２】
0003986715.tif 000003
【図３】
0003986715.tif 000004
【図４】
0003986715.tif 000005
【図５】
0003986715.tif 000006
【図６】
0003986715.tif 000007
【図７】
0003986715.tif 000008
【図８】
0003986715.tif 000009